(57)【要約】  プランジャ駆動式計量ポンプにおいて、ポンプヘッド９をポンプボディ１に対して正しく取り付けるための手間を軽減することのできるプランジャ駆動式計量ポンプを提供する。本発明に係るプランジャ駆動式計量ポンプは、プランジャ２を往復移動可能に支持するポンプボディ１と、ポンプボディ１の一端部に設けられ、外周部に雄ねじ部８３を有する円筒状のヘッド取付部８２と、ヘッド取付部８２にシール４を介して取り付けられ内部にポンプ室９１を有するポンプヘッド９と、ポンプヘッド９の外周に挿通され、ポンプヘッド９に係止する係止部７４と雄ねじ部８３に螺合する雌ねじ部７２とを内周面に有する筒状固定具７とを有する。ポンプボディ１に設けられた円筒状のヘッド取付部８２に対して単一の筒状固定具７でポンプヘッド９を固定するため、複数のボルト６同士の締め付け力の均等性に配慮する必要がなくなる。
2011013162.tif 000002
【特許請求の範囲】
【請求項１】
ポンプ室内でプランジャを往復駆動させて送液するプランジャ駆動式計量ポンプにおいて、
前記プランジャを往復移動可能に支持するポンプボディと、
前記ポンプボディの一端部に設けられ、外周部に雄ねじ部を有する円筒状のヘッド取付部と、
前記ヘッド取付部にシールを介して取り付けられ内部に前記ポンプ室を有するポンプヘッドと、
前記ポンプヘッドの外周に挿通され、前記ポンプヘッドに係止する係止部と前記雄ねじ部に螺合する雌ねじ部とを内周面に有する筒状固定具と
を有することを特徴とするプランジャ駆動式計量ポンプ。
【請求項２】
請求項１に記載のプランジャ駆動式計量ポンプにおいて、
前記ポンプヘッドは前記係止部が係止するフランジを有するものであることを特徴とするプランジャ駆動式計量ポンプ。
【請求項３】
請求項１又は２に記載のプランジャ駆動式計量ポンプにおいて、
前記筒状固定具は内径寸法が大きい大孔部と内径寸法が小さい小孔部とから成り、
前記係止部は、前記大孔部と前記小孔部の境界部であることを特徴とするプランジャ駆動式計量ポンプ。
【発明の詳細な説明】
【技術分野】
【０００１】
本発明は、プランジャを往復駆動させることによって計量・送液を行うプランジャ駆動式計量ポンプに関する。
【背景技術】
【０００２】
液体を計量し分析機器等に液体を送液する機構として、プランジャ駆動式計量ポンプが多く利用されている。プランジャ駆動式計量ポンプはプランジャをポンプ室内で往復運動させ、一定量の液体を連続的に送液するものである。【０００３】
図１に従来型のプランジャ駆動式ポンプの分解斜視図を、図２に同断面図を示す。プランジャ駆動式ポンプは、ポンプボディ１、プランジャ２、ポンプヘッド３、プランジャシール４及びシールホルダ５、ポンプヘッド３をポンプボディ１に取り付けるためのボルト６等を有する。ポンプヘッド３は内部にポンプ室３１を有し、ポンプ室３１内に液体を吸入するための液体吸入口３２と、ポンプ室３１から液体を排出するための液体排出口３３を備えている。プランジャシール４はシールホルダ５によって保持されており、ポンプ室３１の液密性を維持する。【０００４】
ポンプ室３１内でプランジャ２を往復駆動させると、規定された一定量の液体が吸入口３２からポンプ室３１内に吸入され、分析機器等に送液される。
【先行技術文献】
【特許文献】
【０００５】
【特許文献１】特開平10-103221号公報
【発明の概要】
【発明が解決しようとする課題】
【０００６】
このような従来型のプランジャ駆動式計量ポンプでは、ポンプヘッド３は、例えばボルトなどの複数の固定具６でポンプボディ１に取り付けられていた。従って、複数のボルト６の締め付け力が不均等なときは、ポンプボディ１に対してポンプヘッド３が傾いて取り付けられ、プランジャシール４に不均等な力がかかってプランジャシール４が変形するという不具合が生じる。プランジャシール４の変形は、ポンプ室３１からの液体の漏れやプランジャシール４の破損、寿命低下につながる。【０００７】
複数のボルト６の締め付け力を均等にすることによりこのような問題を回避することができる。しかし、熟練した技術者が細心の注意を払ってボルト６の締め付け作業を行う必要があり、ポンプヘッド３の取り付けに手間がかかっていた。【０００８】
本発明は上記の問題に鑑みてなされたものであり、その目的とするところは、ポンプヘッドをポンプボディに対して正しく取り付けるための手間を軽減することにある。
【課題を解決するための手段】
【０００９】
本発明に係るプランジャ駆動式計量ポンプは、ポンプ室内でプランジャを往復駆動させて送液するプランジャ駆動式計量ポンプにおいて、
前記プランジャを往復移動可能に支持するポンプボディと、
前記ポンプボディの一端部に設けられ、外周部に雄ねじ部を有する円筒状のヘッド取付部と、
前記ヘッド取付部にシールを介して取り付けられ内部に前記ポンプ室を有するポンプヘッドと、
前記ポンプヘッドの外周に挿通され、前記ポンプヘッドに係止する係止部と前記雄ねじ部に螺合する雌ねじ部とを内周面に有する筒状固定具と
を有することを特徴とする。【００１０】
また、上記プランジャ駆動式計量ポンプにおいて、
前記ポンプヘッドは前記係止部が係止するフランジを有するものとしてもよい。【００１１】
さらに、上記プランジャ駆動式計量ポンプにおいて、
前記筒状固定具は内径寸法が大きい大孔部と内径寸法が小さい小孔部とから成り、
前記係止部は、前記大孔部と前記小孔部の境界部であるものとしてもよい。
【発明の効果】
【００１２】
本発明に係るプランジャ駆動式計量ポンプでは、ポンプボディに設けられた円筒状のヘッド取付部に対して単一の筒状固定具でポンプヘッドを固定する。従って、複数のボルトで固定していた従来と異なり、締め付け力の均等性に配慮する必要がなくなる。
また、筒状固定具の内周面に設けられた雌ねじとヘッド取付部の外周部に設けられた雄ねじとを螺合することによりポンプヘッドをポンプボディに取り付ける。従って、取り付け時に工具が不要となり、ポンプヘッドを正しく取り付けるための手間が軽減される。
【図面の簡単な説明】
【００１３】
【図１】従来のプランジャ駆動式計量ポンプの分解斜視図。
【図２】従来のプランジャ駆動式計量ポンプの部分断面図。
【図３】本発明の一実施例に係るプランジャ駆動式計量ポンプの分解斜視図。
【図４】本発明の一実施例に係るプランジャ駆動式計量ポンプの部分断面図。
【図５】本発明の一実施例に係る固定具の斜視図。
【図６】本発明の第一の変形例に係るプランジャ駆動式計量ポンプの部分断面図。
【図７】本発明の第二の変形例に係るプランジャ駆動式計量ポンプの部分断面図。
【発明を実施するための形態】
【００１４】
以下、本発明の実施例について図３〜５を用いて説明する。
【実施例】
【００１５】
図３は本実施例に係るプランジャ駆動式計量ポンプの分解斜視図を、図４は同断面図を、図５は本実施例に係る固定具の斜視図を示している。【００１６】
本実施例のプランジャ駆動式計量ポンプは、単一の固定具７でポンプボディ１に対してポンプヘッド９を固定する点が従来例と大きく異なる。
具体的には、ポンプボディ１の一端には、突出部８が一体的に設けられている。突出部８は円筒状部８１と、円筒状部８１よりも外径寸法が大きな径大部８２から成る。径大部８２は円筒状部８１の先端に設けられ、外周には雄ねじ溝８３が形成されている。また、円筒状のシールホルダ５を収容するための凹部が突出部８のポンプヘッド９側に設けられている。プランジャ２はポンプボディ１に往復移動可能に支持されている。プランジャ２の先端は突出部８から突出している。【００１７】
ポンプヘッド９は円筒状であり、前記円筒状部８の径大部８２と略同じ外径のフランジ９４をその一端部に有している。また、シールホルダ５を収容するための凹部とポンプ室９１がポンプヘッド９の内部に設けられている。さらに、ポンプヘッド９は、ポンプ室９１内に液体を吸入するための液体吸入口９２と、ポンプ室９１から液体を排出するための液体排出口９３を有している。【００１８】
シールホルダ５は円筒状で、軸方向に伸びる貫通孔５１を有しており、ポンプヘッド９側にシール４が保持されている。シール４は凸型をしており、その凸側がポンプボディ側に向けられている。【００１９】
固定具７はナット状をなし、中央に貫通孔を有する。この貫通孔は、内径寸法が大きい大孔部７１と内径寸法が小さい小孔部７３から成る。大孔部７１の内径は径大部８２の外径よりもわずかに大きく設定され、その内周面には前記雄ねじ溝８３と螺合する雌ねじ溝７２が切られている。大孔部７１のうち雌ねじ溝７２が設けられていない部分の厚みはポンプヘッド９のフランジ９４の厚みよりもわずかに大きく設定され、小孔部７３の内径はポンプヘッド９の外径よりもわずかに大きく設定されている。
固定具７の外周には本固定具７を締め込み易いように平坦な面が４面加工されている。また、固定具７は樹脂製であり、単一品として製造される。【００２０】
本実施例の計量ポンプ１０では、ポンプヘッド９はポンプボディ１に対して次のように取り付けられる。まず、シールホルダ５の貫通孔５１にプランジャ２の先端を挿通しながらポンプボディ１の突出部８の凹部に該シールホルダ５を嵌め込む。次に、ポンプヘッド９を取り付ける。具体的には、シールホルダ５の先端から突出するプランジャ２をポンプヘッド９のポンプ室９１に、シールホルダ５をポンプヘッド９の凹部に嵌め込み、フランジ９４を径大部８２の端部に当接する。【００２１】
続いて固定具７をポンプヘッド９の先端から挿入し、雌ねじ溝７２と径大部８２の雄ねじ溝８３とを螺合させる。このとき、大孔部７１と小孔部７３の境界の段差部（以下、段差部７４という）がポンプヘッド９のフランジ９４に当接する。フランジ９４が径大部８２を押圧するまで固定具７を強く締め付ける。これにより、ポンプヘッドが突出部に対して強く固定される。【００２２】
このように、単一の固定具７でポンプヘッド９をポンプボディ１に取り付けるため、固定具の締め付け力のバランスを考慮しなくともポンプヘッド９をポンプボディ１に正しく取り付けることができる。従って、プランジャシール４にかかる力も均等になり、プランジャシール４が変形するのを防止することができる。
また、固定具７の締め付けに熟練した技術や工具を必要としないため、ポンプヘッド９の取り付けは手作業のみで容易に行われ、取り付けの手間が軽減される。【００２３】
このような効果は、プランジャ２の径が大きな場合（例えば6mm以上）に特に有益である。プランジャ２の径が大きな場合、それに対応してプランジャシール４やポンプヘッド９も大型化するため、ポンプヘッド９の傾きによる影響が大きくなりプランジャシール４の変形の問題が生じやすいからである。【００２４】
なお、固定具７は、大孔部７１の内、雌ねじ７２の設けられていない部分よりも厚みが小さいフランジ９４のポンプヘッド９を突出部８に固定する場合にも用いることが出来る。この場合にも、固定具７を締め付けると段差部７４がフランジ９４に当接するため（図６参照）、ポンプヘッド９を突出部８に固定することができる。【００２５】
また、固定具７は、フランジ９４の外径が径大部８２より小さなポンプヘッド９にも適用可能である。この場合にも固定具７の段差部７４の一部がフランジ９４に当接するため（図７参照）、ポンプヘッド９を突出部８に固定することができる。【００２６】
このように、本発明に係る固定具７は一つのサイズでフランジの大きさが多少異なる場合でも利用可能である。【００２７】
以上、実施例及び変形例を用いて本発明を実施するための形態について説明を行ったが、本発明は上記の例に限定されるものではなく、本発明の趣旨の範囲で適宜変更が許容される。例えば、ポンプボディ１の突出部８の外形寸法を全て同じにしてもよい。また、ポンプヘッド９の形状は全体として円筒状である必要はなく、固定具７で固定される部分、即ちポンプボディ１側の一部分だけが円筒状であれば足りる。その場合、ポンプヘッド９の先端部は固定具７を嵌め入れることのできる大きさでなければならない。
【符号の説明】
【００２８】
１…ポンプボディ
２…プランジャ
３…ポンプヘッド
４…プランジャシール
５…シールホルダ
６…ボルト
７…固定具
８…突出部
９…ポンプヘッド
３１…ポンプ室
３２…液体吸入口
３３…液体排出口
５１…貫通孔
７１…大孔部
７２…雌ねじ
７３…小孔部
７４…境界面
８１…円筒状部
８２…径大部
８３…雄ねじ
９１…ポンプ室
９２…液体注入口
９３…液体排出口
９４…フランジ
【図１】
2011013162.tif 000003
【図２】
2011013162.tif 000004
【図３】
2011013162.tif 000005
【図４】
2011013162.tif 000006
【図５】
2011013162.tif 000007
【図６】
2011013162.tif 000008
【図７】
2011013162.tif 000009
【国際調査報告】
2011013162.tif 000010
2011013162.tif 000011
2011013162.tif 000012
2011013162.tif 000013